(57)【要約】【課題】 雑誌購入者のアンケート応募の促進を図り、雑誌購入者からのアンケート情報を収集できるようにしたアンケートシステムを提供する。【解決手段】  雑誌は、アンケート応募先のＵＲＬと、アンケート応募用の識別コードとが表示され、通信端末は、ＵＲＬと識別コードとを入力する手段と、入力されたＵＲＬに基づきアンケート管理用サーバにアクセスし、識別コードを送信してアンケート応募を行なう手段とを有し、アンケート管理用サーバは、アンケート応募用の識別コードと、使用状況情報とが登録されている識別コードデータベースと、通信端末から識別コードを受信した際に、識別コードと識別コードデータベースに登録されている識別コードとを照合する照合手段と、照合一致した識別コードが使用済みであるか否かを判定する識別コード使用状況判定手段と、未使用と判定された場合にアンケート応募を有効として処理する制御手段とを備える。【選択図】        図1
2005339072.tif 000002
【特許請求の範囲】
【請求項１】
販売される雑誌と、前記雑誌の購入者の通信端末と、前記通信端末とインターネットで接続されたアンケート管理用サーバとによるアンケートシステムであって、
前記雑誌は、アンケート応募先のＵＲＬと、１冊の雑誌毎に異なるアンケート応募用の識別コードとが表示され、
前記通信端末は、前記ＵＲＬと前記識別コードとを入力する手段と、入力された前記ＵＲＬに基づいて、前記アンケート管理用サーバにアクセスし、前記識別コードを送信してアンケート応募を行なう手段とを有し、
前記アンケート管理用サーバは、販売された全ての雑誌に表示されたアンケート応募用の識別コードと、各識別コード毎に関する使用状況情報とが登録されている識別コードデータベースと、前記通信端末から識別コードを受信した際に、受信した前記識別コードと前記識別コードデータベースに登録されている識別コードとを照合する照合手段と、前記照合手段で照合一致した識別コードの使用状況情報から、受信した前記識別コードが、既に使用された識別コードであるか否かを判定する識別コード使用状況判定手段と、前記識別コード使用状況判定手段での判定結果において未使用であると判定された場合に、前記アンケート応募を有効なものとして処理する制御手段と、
を備えることを特徴とするアンケートシステム。
【請求項２】
前記ＵＲＬと前記識別コードとが、２次元バーコードにより機械読み取り可能に表示されていることを特徴とする請求項１記載のアンケートシステム。
【発明の詳細な説明】
【技術分野】
【０００１】
本発明は、雑誌を利用したアンケートにおいて、応募者が手間をかけることなく簡単にアンケート応募を行なえるようにすると共に、雑誌の購入者がアンケートに応募した後には、他の者のアンケート応募を制限できるようにしたアンケートシステムに関する。
【背景技術】
【０００２】
従来、書店などで販売されている雑誌には、雑誌本体の一部に読者が応募するための種々のアンケート応募用紙が綴じ合わされている。
これらのアンケート応募用紙は、所定の部分から切り取った後に、折り畳んで貼り合わせるなどして葉書や郵便封書などの郵送媒体を作成した用いられるような仕様を有しているものが多く、応募者が郵送によりアンケートの応募ができるようにしてある。（例えば、特許文献１参照）
【特許文献１】特開２００３−１９１６６３号
【０００３】
これらのアンケートを実施することで、種々の内容からなる顧客情報が収集して、これらの収集した情報を将来的な市場調査などに役立てることが可能であることから、アンケートの主催者側は、アンケートの応募者に対して、抽選などにより種々の特典やプレゼントなどの顧客サービスを提供する場合が多い。
アンケートの応募数が多ければ多いほど精度の高い顧客情報の収集が行なえることから、アンケートの主催者側にとっては、できるだけ多くのアンケート応募数の確保を図りたいといえる。
また、雑誌の購入者は、アンケートに応募することで、抽選などにより種々の特典やプレゼントなどの各種サービスを受けられることから、アンケートの応募を楽しみにしている場合も多い。
【０００４】
しかしながら、従来のアンケート応募用紙を使用したアンケートの応募方法では、応募者自身が雑誌の一部に設けたアンケート応募用紙から郵送媒体を作成しなければならず、手間がかかり面倒であり、気軽にアンケートに応募できないという問題がある。
更に、アンケート応募用紙から作成した郵送媒体を郵便ポストまで投函しなければならず、アンケートに応募するまでの手間や時間を考えると億劫になり、アンケートに応募して特典やプレゼントがほしくても応募をためらうことにもなるという問題がある。
【発明の開示】
【発明が解決しようとする課題】
【０００５】
本発明は、上記のような観点から、雑誌に掲載されているアンケートについて、雑誌の購入者が手間をかけることなく簡単に応募が行なえるようにして、アンケート応募の促進を図ることができようにすると共に、雑誌の購入者がアンケートに応募した後には、他の者のアンケート応募を制限できるようにして、雑誌の購入者からのアンケート情報を収集できるようにしたアンケートシステムを提供する。
【課題を解決するための手段】
【０００６】
本発明のアンケートシステムは、販売される雑誌と、前記雑誌の購入者の通信端末と、前記通信端末とインターネットで接続されたアンケート管理用サーバとによるアンケートシステムであって、前記雑誌は、アンケート応募先のＵＲＬと、１冊の雑誌毎に異なるアンケート応募用の識別コードとが表示され、前記通信端末は、前記ＵＲＬと前記識別コードとを入力する手段と、入力された前記ＵＲＬに基づいて、前記アンケート管理用サーバにアクセスし、前記識別コードを送信してアンケート応募を行なう手段とを有し、前記アンケート管理用サーバは、販売された全ての雑誌に表示されたアンケート応募用の識別コードと、各識別コード毎に関する使用状況情報とが登録されている識別コードデータベースと、前記通信端末から識別コードを受信した際に、受信した前記識別コードと前記識別コードデータベースに登録されている識別コードとを照合する照合手段と、前記照合手段で照合一致した識別コードの使用状況情報から、受信した前記識別コードが、既に使用された識別コードであるか否かを判定する識別コード使用状況判定手段と、前記識別コード使用状況判定手段での判定結果において未使用であると判定された場合に、前記アンケート応募を有効なものとして処理する制御手段と、を備えることを特徴とする。
【０００７】
また、本発明のアンケートシステムは、前記ＵＲＬと前記識別コードとが、２次元バーコードにより機械読み取り可能に表示されていることを特徴とする。
【発明の効果】
【０００８】
本発明のアンケートシステムは、雑誌に表示されたＵＲＬに基づいて、インターネットを介してアンケート管理用サーバにアクセスすると共に、雑誌に表示されたアンケート応募用の識別コードにより、アンケート応募の管理が行なわれているので、雑誌の購入者が手間をかけることなく簡単にアンケートの応募が行なえて、アンケート応募の促進を図ることができ、更に、雑誌の購入者がアンケートの応募をした後には、再び同じ識別コードを使用してアンケートの応募が行なえないので、その雑誌を他の者が見て、表示されている識別コードを使用してアンケートの応募を行ったとしても、アンケートの応募が認められないので、雑誌の購入者からのアンケート情報の収集を行なうことができるという効果がある。
【０００９】
また、本発明のアンケートシステムは、前記ＵＲＬと前記識別コードとが、２次元バーコードにより機械読み取り可能に表示されているので、ＵＲＬと識別コードを入力する手間がかからないと共に、入力時のミスが生じる危険性がないという効果がある。
【発明を実施するための最良の形態】
【００１０】
以下、図面を参照しながら本発明の実施形態を詳述する。
図１は、本発明の実施形態に係るアンケートシステムの概要構成を示す図、図２は、本発明の実施形態に係るアンケートシステムのシステムブロック図、図３は、本発明の実施形態に係るアンケートシステムにおける処理手順を説明するフローチャートである。
【００１１】
本発明の実施形態に係るアンケートシステムは、図１に示すように、書店などで販売されている雑誌１と、その雑誌１の購入者が所有している通信端末である携帯電話端末２と、この携帯電話端末２と携帯電話通信網４及びインターネット５で通信可能に接続されたアンケート管理用サーバ３とから構成されている。
雑誌１の一部には、アンケート応募に関する情報が掲載されている頁６が設けられ、この頁６には、アンケートに関する説明や応募方法などが掲載されていると共に、雑誌１の購入者が、アンケートに応募する際に使用するアンケート応募用の識別コードと、インターネットによるアンケートの応募先を特定するＵＲＬとが、機械読み取り可能な２次元バーコード７によりコード化されて表示してある。
また、アンケート応募用の識別コードと、インターネットによるアンケートの応募先を特定するＵＲＬとは、２次元バーコード７と共に手でキー入力できるように目視可能な状態でも表示されている。
【００１２】
アンケート応募用の識別コードは、１冊の雑誌毎に異なるユニークナンバーからなり、雑誌の発行会社やアンケートを募集する会社などが任意に設定すればよい。
また、アンケートの応募先を特定するＵＲＬは、インターネットによりアンケート情報が掲載されたホームページの場所を特定するもので、携帯電話端末２の表示手段にアンケート情報が掲載されたホームページを映し出して、種々のアンケートの質問に対して回答を入力して送信したり、アンケート回答者を特定する氏名、住所などの個人情報の入力、送信などを行なうことで、アンケートに関する処理が行なわれるようにしてある。
【００１３】
また、図２に示すように、携帯電話端末２には、キー操作により情報を入力するためのキー入力手段８と、２次元バーコード７を撮影して画像データを得るデジタルカメラ部９と、デジタルカメラ部９で得られた２次元バーコード７の画像データを処理する信号処理手段１０と、電源である電池１１と、インターネットに接続して２次元バーコード７にコード化されているメールアドレス宛てにアクセスするインターネット接続手段１２と、２次元バーコード７にコード化されているＵＲＬに対してアクセスを行うＵＲＬアクセス手段１３と、制御プログラムなどが記憶された記憶手段１４と、携帯電話網４と通信を行う通信無線用アンテナ１５と、スピーカ１６及びマイク１７の音声を制御する音声制御手段１８と、ディスプレイである表示手段１９と、制御プログラムに基づいて動作やデータ転送などの制御を行う制御手段２０などを備えている。
また、信号処理手段１０には、デジタルカメラ部９で得られた２次元バーコード７の画像データを解読する２次元バーコード解読手段１０ａが備えられている。
【００１４】
次に、アンケート管理用サーバ３のシステム構成を説明すると、アンケート管理用サーバ３には、識別コードデータベース２１と、アンケート情報データベース２２と、アンケート応募者情報データベース２３と、インターネット５と通信可能に接続された通信手段２４と、登録手段２５と、アンケート情報配信手段２６と、照合手段２７と、識別コード使用状況判定手段２８と、記憶手段２９と、制御手段３０などが備えられている。
【００１５】
識別コードデータベース２１には、書店などで販売された全ての雑誌に表示されたアンケート応募用の識別コードと、更に、各識別コード毎にその識別コードが、既にアンケート応募を行なう際に使用された識別コードであるのか、または、未使用の識別コードであるのかに関して、判別可能な識別コードの使用状況情報とが登録されている。
例えば、識別コードの使用状況情報として、既にアンケート応募を行なう際に使用された識別コードに対して、フラグを立てることで識別できるようにする方法がある。
【００１６】
また、アンケート情報データベース２２には、アンケートに関する種々の質問などの情報が登録されている。
アンケート応募者情報データベース２３には、アンケート応募者による携帯電話端末２からアンケート管理用サーバ３に送信したアンケート応募者の氏名、住所、アンケートへの回答などの情報が、登録手段２５により随時に登録されている。
【００１７】
照合手段２７は、携帯電話端末２から識別コードを受信した際に、受信した識別コードと識別コードデータベース２１に登録されている識別コードとを照合する機能を有している。
また、識別コード使用状況判定手段２８は、照合手段２７の照合処理において照合一致した識別コードに関して、識別コードデータベース２１に登録されている使用状況情報から、受信した前記識別コードが、既に使用された識別コードであるか否かを判定する機能を有している。
そして、制御手段３０では、識別コード使用状況判定手段２８での判定結果において、その識別コードが未使用であると判定された場合に、アンケート応募を有効なものとして処理するようにプログラムされている。
記憶手段２９には、これらの制御用プログラムが登録されている。
【００１８】
また、アンケート情報配信手段２６は、アンケート情報データベース２２に登録されているアンケートに関する情報をアンケート応募者の携帯電話端末２に配信する機能を有しているが、識別コード使用状況判定手段２８での判定結果で、携帯電話端末２から受信した識別コードが、未使用であると判定された場合にだけ配信が許可されるようにプログラムされており、過去において使用されたことのある識別コードを受信した場合には、アンケートに関する情報をアンケート応募者の携帯電話端末２に配信しないように制御されている。
これにより、自分で雑誌１を購入しないで、アンケートに応募しようとしても、その雑誌に表示されている識別コードを購入者が先に使用することで、応募の制限が行なわれることになる。
【００１９】
また、雑誌１の購入者が所有している通信端末は、携帯電話端末２に限定されるものではなく、インターネットに接続されたパソコンなど種々の通信端末を使用することができる。
例えば、通信端末としてパソコンを用いた場合には、雑誌１に目視可能に掲載されているアンケート応募用の識別コードとＵＲＬとを読み取り、パソコンのキーボードからそれらを入力することで、アンケート管理用サーバ３とアクセスして処理する。
【００２０】
次に本発明の実施形態に係るアンケートシステムの処理手順を、図３のフローチャートに基づいて説明する。
雑誌１を購入した顧客が、雑誌１に掲載されているアンケートに応募する場合に、雑誌１のアンケート応募に関する情報が掲載されている頁６に表示されている２次元バーコード７を、携帯電話端末２のデジタルカメラ部９で撮影する。（ステップＳ１）
携帯電話端末２のデジタルカメラ部９で撮影された２次元バーコード７は、信号処理手段１０の２次元バーコード解読手段１０ａにより、２次元バーコード７でコード化されている応募先のＵＲＬとアンケート応募用の識別コードとが解読される。（ステップＳ２）
【００２１】
次に、携帯電話端末２のインターネット接続手段１２によりインターネットに接続し、解読されたＵＲＬにアクセスしてアンケート管理用サーバ３と接続する。（ステップＳ３）
携帯電話端末２からアンケート管理用サーバ３に、アンケート応募用の識別コードを送信する。（ステップＳ４）
アンケート管理用サーバ３において、識別コードデータベース２１に登録されている識別コードの中から、受信した識別コードに該当する識別コードにおける使用状況情報が抽出され、既に使用された事を示すフラグが立っているか否かの使用状況の判定が行なわれる。（ステップＳ５）
【００２２】
この使用状況の判定で、フラグが立っていない未使用を示す状態が確認された場合には、アンケート管理用サーバ３から携帯電話端末２に対して、アンケート情報データベース２２に登録されているアンケートに関する情報の配信を行なう。（ステップＳ６）
その後、アンケート応募者は、配信されたアンケート情報に基づいて、自分の氏名、住所、アンケートへの回答、などのアンケート回答情報を携帯電話端末２からアンケート管理用サーバ３に送信する。（ステップＳ７）
アンケート管理用サーバ３で受信した携帯電話端末２からのアンケート回答情報は、アンケート管理用サーバ３のアンケート応募者情報データベース２３に登録される。（ステップＳ８）
【００２３】
一方、識別コードの使用状況の判定で、フラグが立っている使用済みを示す状態が確認された場合には、アンケート管理用サーバ３から携帯電話端末２に対して、受信した識別コードが既に使用済みで使用できない旨の使用不可情報が配信される。（ステップＳ９）
以上のように、本発明のアンケートシステムでは、雑誌の購入者が、雑誌に表示されているアンケート応募用の識別コードを使用してアンケートに応募した後には、同じ識別コードを使用してアンケートに応募しても応募ができないようにしてあるので、アンケートに応募したい者は雑誌を購入することとなる。
【図面の簡単な説明】
【００２４】
【図１】本発明の実施形態に係るアンケートシステムの概要構成を示す図である。
【図２】本発明の実施形態に係るアンケートシステムのシステムブロック図である。
【図３】本発明の実施形態に係るアンケートシステムにおける処理手順を説明するフローチャートである。
【符号の説明】
【００２５】
１  雑誌
２  携帯電話端末
３  アンケート管理用サーバ
４  携帯電話通信網
５  インターネット
６  頁
７  ２次元バーコード
８  キー入力手段
９  デジタルカメラ部
１０  信号処理手段
１０ａ  ２次元バーコード解読手段
１１  電池
１２  インターネット接続手段
１３  ＵＲＬアクセス手段
１４，２９  記憶手段
１５  通信無線用アンテナ
１６  スピーカ
１７  マイク
１８  音声制御手段
１９  表示手段
２０，３０  制御手段
２１  識別コードデータベース
２２  アンケート情報データベース
２３  アンケート応募者情報データベース
２４  通信手段
２５  登録手段
２６  アンケート情報配信手段
２７  照合手段
２８  識別コード使用状況判定手段
【図１】
2005339072.tif 000003
【図２】
2005339072.tif 000004
【図３】
2005339072.tif 000005